(57)【特許請求の範囲】
【請求項１】
文書作成装置、及び文書閲覧装置を含む文書作成システムであって、
前記文書作成装置は、
画像に重ね合わせるレイヤであって、少なくとも一部が透明であり、かつ、このレイヤ内の所定の領域に対して機能が定義された機能レイヤを格納する機能レイヤ格納手段と、
前記機能レイヤ格納手段に格納された機能レイヤの中から、適用する機能レイヤを選択する選択手段と、
前記選択手段により選択された機能レイヤの機能が定義された領域を変更する編集手段と、
前記編集手段により、領域が変更された機能レイヤを画像に重ね合わせる合成手段と
を有し、
前記文書閲覧装置は、
前記合成手段により重ね合わせられた画像について、前記重ね合わせられた機能レイヤに従って、表示処理、入力受付処理、又は、出力処理を行う
文書作成システム。
【請求項２】
前記文書作成装置は、
前記選択手段により選択された機能レイヤに対して所定の領域を指定して、少なくとも、入力受付機能、ファイル制御機能、又は、表示制御機能を定義する機能定義手段
をさらに有し、
前記合成手段は、前記機能定義手段により、機能が定義された機能レイヤを、画像に重ね合わせる
請求項１に記載の文書作成システム。
【請求項３】
前記機能定義手段は、ユーザの指示に応じて、機能レイヤにおける領域、及び、この領域で受け付ける入力操作の種類を指定する入力受付定義情報を、この機能レイヤに付加し、
前記文書閲覧装置は、
前記機能レイヤに付加された入力受付定義情報に従って、表示される画像に重ね合わせられた機能レイヤの、入力受付定義情報により指定される領域において、入力受付定義情報により指定された種類の入力操作を受け付け、受け付けた入力操作をこの領域に表示する入力受付手段
を有する
請求項２に記載の文書作成システム。
【請求項４】
前記機能定義手段は、少なくとも、ファイル全体の転送先を指定する出力定義情報、ファイルの出力先を指定する出力定義情報、又は、ファイルに対するセキュリティ付加を指定する出力定義情報を機能レイヤに付加し、
前記文書閲覧装置は、
前記機能レイヤに付加された出力定義情報に従って、この機能レイヤが含まれるファイルに対して転送、出力、又は、セキュリティ付加を行う出力制御手段
を有する
請求項２に記載の文書作成システム。
【請求項５】
前記機能定義手段は、少なくとも、機能レイヤにおける既定の領域において、表示範囲、表示サイズ、又は、表示順序を指定する表示定義情報を機能レイヤに付加し、
前記文書閲覧装置は、
前記機能レイヤに付加された表示定義情報に従って、この機能レイヤが重ねられた画像を表示する表示制御手段
を有する
請求項２に記載の文書作成システム。
【請求項６】
前記機能定義手段は、ユーザの指定に応じて、機能レイヤに重ね合わせる画像、又はレイヤを指定し、指定された画像、又は、レイヤに対して電子的な証明情報を生成するよう指示する電子証明定義情報を、機能レイヤに付加し、
前記文書閲覧装置は、
前記機能レイヤに付加された電子証明定義情報に従って、この機能レイヤに重ねられた画像、又は、レイヤに対して、電子的な証明情報を生成する電子証明手段
を有する
請求項２に記載の文書作成システム。
【請求項７】
前記文書作成装置は、
前記合成手段により、ユーザにより指定された画像のデータファイルと、選択された機能レイヤのデータファイルとを一つのデータファイルに統合し、統合されたデータファイルを送信する送信手段
を有し、
前記文書閲覧装置は、
表示画面にタッチパネル機能を搭載した閲覧装置であって、
前記合成手段により一つに統合されたデータファイルを受信する受信手段
を有し、
前記受信手段は、前記送信手段により送信されたデータファイルを受信する
請求項１に記載の文書作成システム。
【請求項８】
画像に重ね合わせるレイヤであって、少なくとも一部が透明であり、かつ、このレイヤ内の所定の領域に対して機能が定義された機能レイヤを格納する機能レイヤ格納手段と、
前記機能レイヤ格納手段に格納された機能レイヤの中から、適用する機能レイヤを選択する選択手段と、
前記選択手段により選択された機能レイヤの機能が定義された領域を変更する編集手段と、
前記編集手段により、領域が変更された機能レイヤを画像に重ね合わせる合成手段と
を有する文書作成装置。
【請求項９】
画像に重ね合わせるレイヤであって、少なくとも一部が透明であり、かつ、このレイヤ内の所定の領域に対して機能が定義された機能レイヤを格納するステップと、
格納された機能レイヤの中から、適用する機能レイヤを選択するステップと、
選択された機能レイヤの機能が定義された領域を変更するステップと、
領域が変更された機能レイヤを画像に重ね合わせるステップと
を有する文書作成方法。
【請求項１０】
画像に重ね合わせるレイヤであって、少なくとも一部が透明であり、かつ、このレイヤ内の所定の領域に対して機能が定義された機能レイヤを格納するステップと、
格納された機能レイヤの中から、適用する機能レイヤを選択するステップと、
選択された機能レイヤの機能が定義された領域を変更するステップと、
領域が変更された機能レイヤを画像に重ね合わせるステップと
をコンピュータに実行させるプログラム。
【発明の詳細な説明】
【技術分野】
【０００１】
本発明は、文書作成システム、文書作成装置、文書作成方法、及びプログラムに関するものである。
【背景技術】
【０００２】
例えば、特許文献１では、ウェブブラウザを有する帳票データ入力装置にインターネットを介して接続される帳票処理装置であって、レイアウト情報、出力制御情報、入力制御情報を含む帳票定義情報に基づいて、前記帳票データ入力装置に送信して当該帳票イメージを表示するためのＨＴＭＬファイルを作成する帳票定義情報変換部と、前記帳票定義情報と前記帳票データ入力装置から送信された出力用データとに基づいて、当該帳票である出力物を出力する帳票出力部とを備えることを特徴とする帳票処理装置として開示されている。
【先行技術文献】
【特許文献】
【０００３】
【特許文献１】特開２００３−６５５６号公報
【発明の概要】
【発明が解決しようとする課題】
【０００４】
本発明は、複数の文書を効率的に作成できる文書作成システムを提供することを目的とする。
【課題を解決するための手段】
【０００５】
本発明に係る文書作成システムは、文書作成装置、及び文書閲覧装置を含む文書作成システムであって、前記文書作成装置は、画像に重ね合わせるレイヤであって、少なくとも一部が透明であり、かつ、このレイヤ内の所定の領域に対して機能が定義された機能レイヤを格納する機能レイヤ格納手段と、前記機能レイヤ格納手段に格納された機能レイヤの中から、適用する機能レイヤを選択する選択手段と、前記選択手段により選択された機能レイヤを画像に重ね合わせる合成手段とを有し、前記文書閲覧装置は、前記合成手段により重ね合わせられた画像について、前記重ね合わせられた機能レイヤに従って、表示処理、入力受付処理、又は、出力処理を行う。
【０００６】
好適には、前記文書作成装置は、前記選択手段により選択された機能レイヤを編集する編集手段をさらに有し、前記合成手段は、前記編集手段により、編集された機能レイヤを、画像と重ね合わせる。
【０００７】
好適には、前記文書作成装置は、前記選択手段により選択された機能レイヤに対して所定の領域を指定して、少なくとも、入力受付機能、ファイル制御機能、又は、表示制御機能を定義する機能定義手段をさらに有し、前記合成手段は、前記機能定義手段により、機能が定義された機能レイヤを、画像に重ね合わせる。
【０００８】
好適には、前記機能定義手段は、ユーザの指示に応じて、機能レイヤにおける領域、及び、この領域で受け付ける入力操作の種類を指定する入力受付定義情報を、この機能レイヤに付加し、前記文書閲覧装置は、前記機能レイヤに付加された入力受付定義情報に従って、表示される画像に重ね合わせられた機能レイヤの、入力受付定義情報より指定される領域において、入力受付定義情報により指定された種類の入力操作を受け付け、受け付けた入力操作をこの領域に表示する入力受付手段を有する。
【０００９】
好適には、前記機能定義手段は、少なくとも、ファイル全体の転送先を指定する出力定義情報、ファイルの出力先を指定する出力定義情報、又は、ファイルに対するセキュリティ付加を指定する出力定義情報を機能レイヤに付加し、前記文書閲覧装置は、前記機能レイヤに付加された出力定義情報に従って、この機能レイヤが含まれるファイルに対して転送、出力、又は、セキュリティ付加を行う出力制御手段を有する。
【００１０】
好適には、前記機能定義手段は、少なくとも、機能レイヤにおける既定の領域において、表示範囲、表示サイズ、又は、表示順序を指定する表示定義情報を機能レイヤに付加し、前記文書閲覧装置は、前記機能レイヤに付加された表示定義情報に従って、この機能レイヤが重ねられた画像を表示する表示制御手段を有する。
【００１１】
好適には、前記機能定義手段は、ユーザの指定に応じて、機能レイヤに重ね合わせる画像、又はレイヤを指定し、指定された画像、又は、レイヤに対して電子的な証明情報を生成するよう指示する電子証明定義情報を、機能レイヤに付加し、前記文書閲覧装置は、前記機能レイヤに付加された電子証明定義情報に従って、この機能レイヤに重ねられた画像、又は、レイヤに対して、電子的な証明情報を生成する電子証明手段を有する。
【００１２】
好適には、前記文書作成装置は、前記合成手段により、ユーザにより指定された画像のデータファイルと、選択された機能レイヤのデータファイルとを一つのデータファイルに統合し、統合されたデータファイルを送信する送信手段を有し、前記文書閲覧装置は、表示画面にタッチパネル機能を搭載した閲覧装置であって、前記合成手段により一つに統合されたデータファイルを受信する受信手段を有し、前記受信手段は、前記送信手段により送信されたデータファイルを受信する。
【００１３】
本発明に係る文書作成装置は、画像に重ね合わせるレイヤであって、少なくとも一部が透明であり、かつ、このレイヤ内の所定の領域に対して機能が定義された機能レイヤを格納する機能レイヤ格納手段と、前記機能レイヤ格納手段に格納された機能レイヤの中から、適応する機能レイヤを選択する選択手段と、前記選択手段により選択された機能レイヤを画像に重ね合わせる合成手段とを有する。
【００１４】
本発明に係る文書作成方法は、画像に重ね合わせるレイヤであって、少なくとも一部が透明であり、かつ、このレイヤ内の所定の領域に対して機能が定義された機能レイヤを格納するステップと、格納された機能レイヤの中から、適応する機能レイヤを選択するステップと、選択された機能レイヤを画像に重ね合わせるステップとを有する。
【００１５】
本発明に係るプログラムは、画像に重ね合わせるレイヤであって、少なくとも一部が透明であり、かつ、このレイヤ内の所定の領域に対して機能が定義された機能レイヤを格納するステップと、格納された機能レイヤの中から、適応する機能レイヤを選択するステップと、選択された機能レイヤを画像に重ね合わせるステップとをコンピュータに実行させる。
【００１６】
本発明によれば、複数の文書を効率的に作成でき、文書に係る情報を管理することが    できる。
【図面の簡単な説明】
【００１７】
【図１】本実施形態に係る文書作成システム１の概要を説明する図である。
【図２】本実施形態に係る文書作成プログラム４０の機能構成を説明する図である。
【図３】本実施形態に係る閲覧端末プログラム６０の機能構成を説明する図である。
【図４】文書作成処理の動作（Ｓ５０）を説明するフローチャートである。
【図５】閲覧端末処理の動作（Ｓ９０）を説明するフローチャートである。
【図６】図４の機能定義処理（Ｓ５２５）を説明する図である。
【図７】図４の合成処理（Ｓ５３５）を例示する図である。
【図８】図５の表示処理（Ｓ９１０）を例示する図である。
【発明を実施するための形態】
【００１８】
以下、本発明の実施形態の構成を、図面を参照して説明する。ただし、本発明の範囲は、図示例に限定されるものではない。
【００１９】
[システム構成]
文書作成システム１の全体構成を説明する。
図１は、本実施形態に係る文書作成システム１の概要を説明する図である。
図１に例示すように、本実施形態に係る文書作成システム１は、文書読取装置２、文書作成装置４、閲覧端末６、及び、文書管理サーバ８により構成される。
文書読取装置２は、原稿台に載置された原稿から光学的に画像を読み取るスキャナ機能を有した装置である。文書読取装置２は、原稿から読み取られた画像データを、文書作成装置４に出力する。
【００２０】
文書作成装置４は、本発明に係る文書作成装置の一例である。
文書作成装置４は、画像データと、既定の領域において機能を定義される機能レイヤとを用いて文書ファイルを作成する工程を管理するコンピュータ端末であり、サーバ機能を有する。文書作成装置４は、作成された文書ファイルを閲覧端末６に送信する。ここで、文書ファイルは、本発明の画像データと、機能レイヤとを統合したデータファイルの一例である。
本例では、文書読取装置２と文書作成装置４とは、ＵＳＢケーブルなどの通信回線を介して接続しており、文書読取装置２から、文書作成装置４に情報を送ることができる。また、文書読取装置２、及び文書作成装置４を一台に複合化してもよい。
【００２１】
閲覧端末６は、本発明に係る文書閲覧装置の一例である。
閲覧端末６は、ユーザが操作するコンピュータ端末である。閲覧端末６は、文書作成装置４より文書ファイルを受信する。閲覧端末６は、機能レイヤに定義される情報に従って機能を実行し、ユーザからの情報を受け付ける。閲覧端末６は、ユーザからの情報を受け付けた文書ファイルを既定の保存先に保存する。
閲覧端末６は、例えば、通信機能を有するパーソナルコンピュータ、スキャナ（ネットワークスキャナ）、ＰＤＡ、携帯電話、スマートフォン（多機能型携帯電話）、タブレット型情報端末、又は複合機であってもよい。
また、本例では、文書作成装置４と、閲覧端末６とは、ネットワークを介して接続されており、様々な地点でも情報のやり取りが行える。
【００２２】
文書管理サーバ８は、例えば、コンピュータ端末であり、サーバ機能を有する。文書管理サーバ８は、入力を受け付けた文書ファイルを保存する。
本例の閲覧端末６と、文書管理サーバ８とは、ネットワークを介して接続されており、様々な地点でも情報のやり取りが行うことができる。
本例の文書作成システム１は、上記システム構成により、原稿から読み取られた画像データと、機能レイヤと統合した文書ファイルを作成する管理を行う。また、複数の画像データに対して、設定された機能レイヤを用いることにより容易で、迅速に文書ファイルを作成する。
【００２３】
次に文書作成プログラム４０について説明する。
図２は、本実施形態に係る文書作成プログラム４０の機能構成を説明する図である。
文書作成プログラム４０は、例えば、CD-ROMなどの記録媒体を介して、文書作成装置４にインストールされたコンピュータプログラムである。
図２に例示するように、文書作成装置４は、画像データベース４１５（画像ＤＢ４１５）、及びテンプレートデータベース４２５（テンプレートＤＢ４２５）を具備する。ここで、テンプレートＤＢ４２５は、本発明に係る機能レイヤ格納手段の一例である。テンプレートＤＢ４２５は、画像に重ね合わせることができ、少なくとも一部が透明であり、かつ、機能レイヤの既定の領域に対して機能が定義された機能レイヤを格納する。また、本発明に係る機能レイヤとは、例えば、既定の領域に機能が定義されたテンプレートレイヤである。
また、図２に例示するように、文書作成プログラム４０は、画像読取部４００、画像データ格納部４１０、選択部４２０、編集部４３０、合成部４４０、及び通信部４５０により構成される。また、選択部４２０には、テンプレートレイヤ選択部４２２、及び画像データ選択部４２４が含まれる。また、編集部４３０には、機能定義部４３２が含まれる。また、通信部４５０には、送信部４５２が含まれる。
【００２４】
画像読取部４００は、文書読取装置２より原稿から光学的に読み取られて生成された画像のデータ（画像データ）を受け取る。
また、画像読取部４００は、例えば、文書読取装置２と文書作成装置４とが複合化された場合に、原稿から光学的に画像を読み取り、画像データを生成してもよい。
【００２５】
画像データ格納部４１０は、文書読取装置２により生成された、画像データを画像ＤＢ４１５に格納する。
【００２６】
選択部４２０は、画像ＤＢ４１５に格納される画像データと、テンプレートレイヤＤＢ４２５に格納されるテンプレートレイヤのデータとを、選択する。具体的には、選択部４２０は、テンプレートレイヤ選択部４２２、及び画像データ選択部４２４を含む。
画像データ選択部４２４は、ユーザにより選択された画像データを画像ＤＢ４１５より選択する。
次に、テンプレートレイヤ選択部４２２は、適用するテンプレートレイヤをテンプレートレイヤＤＢ４２５より選択する。選択部４２０は、選択された画像データに対して、必要な情報を付されたテンプレートレイヤを一部、又は複数選択することができる。
ここで、選択部４２０は、本発明に係る選択手段の一例である。
【００２７】
編集部４３０は、本発明に係る編集手段の一例である。
編集部４３０は、選択部４２０により選択されたテンプレートレイヤを編集する。具体的には、編集部４３０は、少なくとも、テンプレートレイヤの既定の領域に対して、機能を定義する機能定義部４３２を含む。さらに具体的には、機能定義部４３２は、少なくとも、入力受付機能、ファイル制御機能、及び表示制御機能を実行させる定義情報を付加する。機能定義部４３２は、テンプレートレイヤの既定の領域に入力受付定義情報、ファイル制御定義情報、及び表示制御定義情報を付加することで、閲覧端末６により画像データとテンプレートレイヤとを統合した文書ファイルを開封された場合に、テンプレートレイヤに付加された定義情報に従って、この機能を実行する。
【００２８】
入力受付機能は、少なくとも、キー入力、手書き入力、選択操作、又は、画像の挿入を受け付け、受け付けた入力結果を表示する機能である。また、入力受付機能を実行させる入力受付定義情報には、ユーザの指示に応じて、テンプレートレイヤにおける領域、及び、この領域で受け付ける入力操作の種類を指定する定義情報が含まれる。
【００２９】
ファイル制御機能は、少なくとも、ファイル全体の転送先、ファイルの出力先、又は、ファイルに対するセキュリティ付加を指定する機能である。また、ファイル制御機能を実行させるファイル制御定義情報には、ファイル全体の転送先、ファイルの出力先、又は、ファイルに対するセキュリティ付加を指定する定義情報が含まれる。また、ファイル制御定義情報には、ファイルを開封したことを通知する定義情報を含んでもよい。
【００３０】
表示制御機能は、少なくとも、テンプレートレイヤにおける既定の領域において、表示範囲、表示サイズ、又は、表示順序を指定する機能である。また、表示制御機能を実行させる表示制御定義情報には、テンプレートレイヤにおける領域、及び、この領域で表示する表示範囲、表示サイズ、又は、表示順序を指定する定義情報が含まれる。
【００３１】
また、機能定義部４３２は、電子的な証明情報を生成する電子証明生成機能を実行させるための電子証明定義情報を付加する。
電子証明機能は、ユーザの指定に応じて、指定された重ね合わせるための画像、又は、テンプレートレイヤに対して電子的な証明情報を生成する機能である。また、電子証明機能を実行させる電子証明定義情報には、指定された画像、又は、テンプレートレイヤに対して電子的な証明情報を生成するよう指示する定義情報が含まれる。ここで、電子的な証明情報とは、例えば、タイムスタンプ、又は電子署名である。また、機能定義部４３２は、ユーザ名、位置情報、出力時間、又は、作成時間を付加することもできる。
【００３２】
合成部４４０は、ユーザにより指定された画像のデータファイルと、適用するテンプレートレイヤとを重ね合わせて、一つのデータファイルに統合し文書ファイルを合成する。具体的には、合成部４４０は、選択部４２０により選択されたテンプレートレイヤ、又は、編集部４３０により機能を定義されたテンプレートレイヤと、画像データとを統合する。
【００３３】
通信部４５０は、送信部４５２が含まれる。送信部４５２は、合成部４４０により統合された文書ファイルを送信する。具体的には、送信部４５２は、文書ファイルを閲覧端末６に送信する。
【００３４】
次に、閲覧端末プログラム６０について説明する。
図３は、本実施形態に係る閲覧端末プログラム６０の機能構成を説明する図である。
閲覧端末プログラム６０は、例えば、CD-ROMなどの記録媒体を介して、閲覧端末６にインストールされたコンピュータプログラムである。また、閲覧端末プログラム６０は、閲覧端末６にアプリケーションとしてインストールされてもよい。
図３に例示するように、閲覧端末プログラム６０は、通信部６００、閲覧制御部６１０、及び、通知部６２０により構成される。
【００３５】
通信部６００には、少なくとも、受信部６０２、及び、送信部６０４が含まれる。
受信部６０２は、文書作成装置４より送信されたデータを受信する。具体的には、受信部６０２は、文書作成プログラム４０により合成された文書ファイルを受信する。
送信部６０４は、受信部６０２により受信した文書ファイルを送信する。具体的には、送信部６０４は、後述する閲覧制御部６１０によって処理された文書ファイルを既定の保存先に送信する。
【００３６】
閲覧制御部６１０は、受信部６０２により受信した文書ファイルの処理を行う。具体的は、閲覧制御部６１０は、文書作成プログラム４０により、文書ファイルに含まれるテンプレートレイヤデータ、又は、画像データに定義される定義情報に従って処理を行う。
閲覧制御部６１０は、定義される定義情報に従って表示処理、入力受付処理、又は、出力処理を行うため、少なくとも、入力受付部６１２、ファイル制御部６１４、表示制御部６１６、及び、電子情報部６１８が含まれる。
【００３７】
表示制御部６１６は、文書ファイルに含まれるテンプレートレイヤに付加された入力受付定義情報に従って、表示処理を行う。具体的には、表示制御部６１６は、少なくとも、テンプレートレイヤにおける既定の領域において、表示範囲、表示サイズ、又は、表示順序を指定する。
入力受付部６１２は、文書ファイルに含まれるテンプレートレイヤに付加された入力受付定義情報に従って、入力受付処理行う。具体的には、入力受付部６１２は、少なくとも、キー入力、手書き入力、選択操作、又は、画像の挿入を受け付け、受け付けた入力結果を表示する。
ファイル制御部６１４は、文書ファイルに含まれるテンプレートレイヤに付加されたファイル制御定義情報に従って、出力処理を行う。具体的には、ファイル制御部６１４は、少なくとも、ファイル全体の転送先、ファイルの出力先、又は、ファイルに対するセキュリティ付加を指定する。ファイル制御部６１４は、ファイル制御定義情報に従って、ファイルを開封したことを通知する処理を行う。
【００３８】
電子情報部６１８は、文書ファイルに含まれるテンプレートレイヤに付加された電子証明定義情報に従って、電子的な証明情報を生成する処理を行う。具体的には、電子情報部６１８は、指定された画像、又は、テンプレートレイヤに対して電子的な証明情報を生成するよう指示する。
【００３９】
通知部６２０は、ファイル制御部６１４の処理に基づいて、文書ファイルが開封されたことを通知する。通知部６２０は、通知手段を選択して、送信部６０４に開封された通知を送信するよう促す。通知部６２０は、例えば、メール機能を選択して通知を行ってもよい。
【００４０】
図４は、文書作成処理の動作（Ｓ５０）を説明するフローチャートである。
図４に例示すように、ステップ５００（Ｓ５００）において、画像読取部４００は、文書読取装置２により読み取られた画像データを読み込む。画像データ格納部４１０は、読み込まれた画像データを画像ＤＢ４１５に格納する。
【００４１】
ステップ５０５（Ｓ５０５）において、画像データ選択部４２４は、ユーザにより指定された画像データを、画像ＤＢ４１５から選択する。また、画像データ選択部４２４は、ユーザの指定により、文書読取装置２により読み取られた画像データを選択してもよい。
ステップ５１０（Ｓ５１０）において、テンプレートレイヤ選択部４２２は、テンプレートレイヤＤＢ４２５に格納されるテンプレートレイヤの中から、適用するテンプレートレイヤを選択する。
【００４２】
ステップ５１５（Ｓ５１５）において、テンプレートレイヤ選択部４２２は、必要なテンプレートレイヤがすべて選択された否かの判断を表示する。
文書作成処理Ｓ５０は、ユーザによりテンプレートレイヤの選択が必要な指示を受け付けた場合に、テンプレートレイヤの選択を行うため、Ｓ５１０の処理に移行し、
ユーザによりテンプレートレイヤの選択が完了した指示を受け付けた場合に、Ｓ５２０の処理に移行する。
【００４３】
ステップ５２０（Ｓ５２０）において、選択部４２０は、選択されたテンプレートレイヤに対して編集を行うか否かの判断を表示する。文書作成処理Ｓ５０は、ユーザよりテンプレートレイヤに定義情報を付加する指示を受け付けた場合に、Ｓ５２５の処理に移行する。選択部４２０は、ユーザよりテンプレートレイヤに定義情報を付加しない指示を受け付けた場合に、Ｓ５３５の処理に移行する。
【００４４】
ステップ５２５（Ｓ５２５）において、編集部４３０は、テンプレートレイヤ選択部４２２により選択されたテンプレートレイヤに対して、所定の領域に機能を定義する。具体的には、機能定義部４３２は、テンプレートレイヤの所定の領域に、少なくとも、入力受付機能、ファイル制御機能、及び表示制御機能を実行させる入力受付定義情報、ファイル制御定義情報、及び表示制御定義情報を付加する。また、機能定義部４３２は、電子的な証明情報を生成する電子証明機能を実行せるための電子証明定義情報を付加する。
【００４５】
ステップ５３０（Ｓ５３０）において、編集部４３０は、機能定義部４３２により定義情報を付加されたテンプレートレイヤをテンプレートレイヤＤＢ４２５に格納する。
【００４６】
ここで、選択部４２０は、編集部４３０によりテンプレートレイヤＤＢ４２５に格納されたテンプレートレイヤを選択し、用いることができるので、容易にテンプレートレイヤを生成することができる。
【００４７】
ステップ５３５（Ｓ５３５）において、合成部４４０は、ユーザにより指定された画像データと、テンプレートレイヤのデータとを重ね合わせる。具体的には、択部４２０により選択されたテンプレートレイヤ、又は、編集部４３０により機能を定義されたテンプレートレイヤを、画像に統合し、文書ファイルを作成する。
【００４８】
ステップ５４０（Ｓ５４０）において、送信部４５２は、閲覧端末６に統合した文書ファイルを送信する。
【００４９】
図６は、図４の機能定義処理（Ｓ５２５）を説明する図である。
図６（ａ）に例示するように、画像データ格納部４１０により格納される画像データの一例である。機能定義部４３２は、画像データ格納部４１０により格納される画像データに基づいて、テンプレートレイヤに定義情報を付加する。
また、図６（ｂ）に例示するように、機能定義部４３２は、画像データに基づいて、Ａ１〜Ａ５の領域において、入力受付定義情報を定義したものである。機能定義部４３２は、Ａ１〜Ａ５の領域において、少なくとも、キー入力、手書き入力、選択操作、又は、画像の挿入を受け付け、受け付けた入力結果を表示するよう定義情報を付加する。機能定義部４３２は、定義を付加する領域を任意に変更できる。
【００５０】
また、図６（ｃ）に例示するように、機能定義部４３２は、画像データに基づいて、Ｂ１〜Ｂ５の領域において、出力定義情報を定義したものである。機能定義部４３２は、Ｂ１〜Ｂ５の領域において、ファイル全体の転送先、ファイルの出力先、又は、ファイルに対するセキュリティ付加を指定する定義情報を付加する。機能定義部４３２は、例えば、複数選択されたテンプレートレイヤのうち、ユーザにより選択されたテンプレートレイヤに出力定義情報を付加することができる。また、機能定義部４３２は、出力定義情報によりファイル全体の転送先、又はファイルの出力先をテンプレートレイヤ毎に指定することもできる。また、機能定義部４３２は、ファイルに対するセキュリティだけでなく、領域を指定してセキュリティを付加することもできる。
【００５１】
また、図６（ｄ）に例示するように、機能定義部４３２は、画像データに基づいて、Ｃ１〜Ｃ５の領域において、表示定義情報を定義したものである。機能定義部４３２は、Ｃ１〜Ｃ５の領域において、少なくとも、テンプレートレイヤにおける既定の領域において、表示範囲、表示サイズ、又は、表示順序を指定する定義情報を付加する。機能定義部４３２は、定義を付加する領域を変更することや、定義しないこともできる。
【００５２】
図７は、図４の合成処理（Ｓ５３５）を例示する図である。
図７に例示するように、合成部４４０は、図６（ｂ）のＡ１〜Ａ５の領域に入力受付定義情報を定義されたテンプレートレイヤ、図６（ｃ）のＢ１〜Ｂ５の領域に出力定義情報を定義されたテンプレートレイヤ、及び、図６（ｄ）のＣ１〜Ｃ５の領域に表示定義情報を定義されたテンプレートレイヤと、画像データとを重ね合わせて、文書ファイルを合成する。合成部４４０は、定義情報を重ねる順序は任意に変更することができる。また、図７に例示する重ねられた定義領域は、可視化できるようにサイズを一部変更して記載している。
【００５３】
図５は、閲覧端末処理の動作（Ｓ９０）を説明するフローチャートである。
図５に例示すように、ステップ９００（Ｓ９００）において、受信部６０２は、文書作成装置４より送信された文書ファイルを受信する。
【００５４】
ステップ９０５（Ｓ９０５）において、閲覧制御部６１０は、受信した文書ファイルに定義される定義情報に従って開封する。通知部６２０は、受信した文書ファイルが開封されたことを受けて、通知手段を選択する。送信部６０４は、通知部６２０により選択された通知手段に従って、既定の通知場所に文書ファイルが開封されたことを通知する。
【００５５】
ステップ９１０（Ｓ９１０）において、表示制御部６１６は、文書ファイルに含まれるテンプレートレイヤに定義される表示定義情報に従って、文書ファイルを表示する。
【００５６】
ステップ９１５（Ｓ９１５）において、入力受付部６１２は、文書ファイルに含まれるテンプレートレイヤに定義される入力受付定義情報に従って、ユーザからの入力を受け付ける。
【００５７】
ステップ９２０（Ｓ９２０）において、閲覧制御部６１０は、入力受付部６１２により文書ファイルにある入力すべき領域に対して、情報を入力できたか否かを判断する。
閲覧端末処理Ｓ９０は、文書ファイルにある入力すべき領域に対して、情報を入力できた場合に、Ｓ９２５の処理に移行し、文書ファイルにある入力すべき領域に対して、情報を入力できていない場合に、Ｓ９１０の処理に移行する。
【００５８】
ステップ９２５（Ｓ９２５）において、電子情報部６１８は、文書ファイルに含まれるテンプレートレイヤに付加された電子証明定義情報に従って、電子的な証明情報を生成する処理を行う。また、ファイル制御部６１４は、文書ファイルに含まれるテンプレートレイヤに定義される出力定義情報に従って、文書管理サーバ８に出力する。
【００５９】
図８は、図５の表示処理（Ｓ９１０）を例示する図である。
図８に例示するように、閲覧端末６に表示する表示形態の一例である。表示制御部６１６は、文書ファイルに含まれるテンプレートレイヤに定義される表示定義情報に従って、文書ファイルを表示する。
図８（ａ）は、閲覧端末６により文書ファイルを表示されたものである。図８（ｂ）は、表示制御部６１６は、テンプレートレイヤに定義される表示定義情報に従って、Ｄ１の領域を拡大表示し、ユーザにより入力を受け付けたものを表したものである。図８（ｃ）は、表示制御部６１６は、定義される表示定義情報に従って、Ｄ１の領域の入力を受け付けてからＤ２の領域に表示領域を移動させて表示したものである。以上のように、機能定義部４３２は、表示制御情報に従って表示することができる。また、機能定義部４３２は、表示範囲、表示サイズ、又は、表示順序を定義したことで、自動的に判断し表示することができる。
【００６０】
以上、説明したように、本実施形態の文書作成システム１は、文書読取装置２により原稿から光学的に読み取られた画像データと、既定の領域に定義されたテンプレートレイヤとを用いることで、統合した文書ファイルを容易に作成することができる。また、文書作成システム１は、テンプレートレイヤを用いることで、複数の画像データに対する定義を一度に行うことができ、また、特定の画像データにだけ定義を付加することもできる。
また、図８に例示するように、文書作成システム１は、閲覧端末６で表示する形態を表示定義情報に従って表示し、文書ファイルのレイアウト（表示内容）から、拡大する表示範囲を自動で判断して表示する。また、文書作成システム１は、入力受付定義情報、及び、出力定義情報に従って、入力方法やセキュリティなどを各領域で行うことができ、文書ファイルの一部だけを、例えば、紙のような記録媒体に出力することもできる。文書作成システム１は、出力する文書ファイルに対して、タイムスタンプや電子署名を付加でき、さらに、ユーザ名、時間、及び位置情報をより詳しく付加することもできる。
また、文書作成システム１は、原稿から読み取った画像データに基づいて作成するため、視認性を活かした表示方法を用いることができる。
以上、本発明に係る実施形態について説明したが、これらに限定されるものではなく、発明の趣旨を逸脱しない範囲内において、種々の変更、追加等が可能である。
【００６１】
[変形例]
次に、上記実施形態の変形例を説明する。
本実施形態では、文書読取装置２より読み込まれた画像データをテンプレートレイヤに重ね合わせる形態を説明したが、これに限定するものではなく、例えば、画像データ選択手段４２４は、ＰＤＦデータなどの電子文書、又は、文書作成システム１に保存される画像データ等を選択し、選択されたデータの表示画像にテンプレートレイヤを重ね合わせてもよい。
【符号の説明】
【００６２】
２      文書読取装置
４      文書作成装置
６      閲覧端末
８      文書管理サーバ
４００  画像読取部
４１０  画像データ格納部
４２０  選択部
４２２  テンプレートレイヤ選択部
４２４  画像データ選択部
４３０  編集部
４３２  機能定義部
４４０  合成部
４５０  ６００  通信部
４５２  ６０４  送信部
４１５  画像ＤＢ
４２５  テンプレートＢＤ
６０２  受信部
６１０  閲覧制御部
６１２  ファイル制御部
６１４  表示制御部
６１８  電子情報部
【図１】
0006010744.tif 000002
【図２】
0006010744.tif 000003
【図３】
0006010744.tif 000004
【図４】
0006010744.tif 000005
【図５】
0006010744.tif 000006
【図６】
0006010744.tif 000007
【図７】
0006010744.tif 000008
【図８】
0006010744.tif 000009